(57)【要約】【課題】他の装置と画像情報の再生において、互換性を保ちながら、かつ、付加された付加情報の存在を他の装置に認識されることなく、付加情報を画像情報と共に出力可能とする。【解決手段】現在位置検出部１０２で検出した車両の現在位置データと、装置ＩＤと、利用者ＩＤとを画像情報要求信号と共にセンタ２００に送信し、センタ２００は、これらを受信した日付、時刻ならびに受信した車両の現在位置データと、装置ＩＤと、利用者ＩＤに基づき、電子透かし情報埋め込み部２０５で電子地図データに付加情報を電子透かし情報として埋め込んで画像情報出力装置１００に送信し、画像情報出力装置は、受信した電子地図データから電子透かし情報として埋め込まれた付加情報を抽出して、電子地図データと共に出力部１０７から出力する。【選択図】  図１
2004328115.tif 000002
【特許請求の範囲】
【請求項１】
画像情報を記憶する記憶手段と、前記画像情報から、あらかじめ電子透かし技術を用いて埋め込まれた電子透かし情報を抽出する電子透かし情報抽出手段と、前記画像情報を再生する画像情報再生手段と、前記画像情報再生手段で再生した画像情報を、前記電子透かし情報抽出手段で抽出した電子透かし情報と共に出力する出力手段とを備えたことを特徴とする画像情報出力装置。
【請求項２】
前記画像情報は、ムービー情報、ウェッブページ情報、地図情報、および写真情報のうちの少なくとも１つであることを特徴とする請求項１記載の画像情報出力装置。
【請求項３】
前記電子透かし情報は、前記画像情報とは異なる他の画像情報、文字情報、音情報、情報リソースへのリンク情報、および画像情報出力装置若しくは他の装置を制御する制御コマンドのうちの少なくとも１つであることを特徴とする請求項１または請求項２記載の画像情報出力装置。
【請求項４】
前記電子透かし情報は、前記画像情報と関連づけられた関連情報であることを特徴とする請求項１乃至請求項３のいずれかに記載の画像情報出力装置。
【請求項５】
前記関連情報は、位置に連動した情報、日時に連動した情報、および利用者に連動した情報のうちの少なくとも１つであることを特徴とする請求項４記載の画像情報出力装置。
【請求項６】
センタが送信した画像情報を受信する画像情報受信手段を備え、前記画像情報受信手段で受信した画像情報を前記記憶手段に記憶することを特徴とする請求項１乃至請求項５のいずれかに記載の画像情報出力装置。
【請求項７】
前記センタに画像情報を要求する画像要求信号を送信する画像要求信号送信手段を備えたことを特徴とする請求項６記載の画像情報出力装置。
【請求項８】
前記画像要求信号送信手段は、前記画像情報要求信号と共に、画像情報出力装置を識別する装置識別情報と利用者を識別する利用者識別情報の少なくとも１つを送信することを特徴とする請求項７記載の画像情報出力装置。
【請求項９】
記録媒体に記録された画像情報を読み込む記録媒体読み込み手段を備え、前記記録媒体読み込み手段で読み込んだ画像情報を前記記憶手段に記憶することを特徴とする請求項１乃至請求項５のいずれかに記載の画像情報出力装置。
【請求項１０】
移動体に装着されていることを特徴とする請求項１乃至請求項９のいずれかに記載の画像情報出力装置。
【請求項１１】
現在位置を検出する現在位置検出手段を備え、前記画像情報再生手段で再生した画像情報は、前記現在位置検出手段が検出した現在位置と関連する画像情報であることを特徴とする請求項１０記載の画像情報出力装置。
【請求項１２】
他の装置で画像情報と共に出力する電子透かし情報を、前記画像情報に電子透かし技術を用いて埋め込む電子透かし情報埋め込み手段と、前記電子透かし情報埋め込み手段で電子透かし情報を埋め込んだ画像情報を前記他の装置に送信する画像情報送信手段とを備えたことを特徴とするセンタ。
【請求項１３】
前記電子透かし情報は、前記画像情報と関連づけられた関連情報であることを特徴とする請求項１２記載のセンタ。
【請求項１４】
画像情報を要求する前記他の装置からの画像要求信号を受信する画像要求信号受信手段を備え、前記画像要求信号受信手段が画像要求信号を受信した場合、前記送信手段が前記画像情報を送信することを特徴とする請求項１３記載のセンタ。
【請求項１５】
前記電子透かし情報は、前記画像要求信号を受信した後に前記画像情報に埋め込むことを特徴とする請求項１４記載のセンタ。
【請求項１６】
前記画像要求信号受信手段が、前記他の装置を識別する装置識別情報と前記他の装置を利用する利用者を識別する利用者識別情報のうちの少なくとも１つと共に、前記画像要求信号を受信した場合、前記画像情報に埋め込む電子透かし情報は、前記装置識別情報で識別される他の装置または前記利用者識別情報で識別される利用者に関連する情報であることを特徴とする請求項１４または請求項１５記載のセンタ。
【請求項１７】
センタと、前記センタと通信する画像情報出力装置とを含む画像情報提供システムであって、
前記センタは、画像情報に電子透かし技術を用いて電子透かし情報を埋め込む電子透かし情報埋め込み手段と、前記電子透かし情報埋め込み手段で電子情報を埋め込んだ画像情報を前記画像情報出力装置に送信する画像情報送信手段とを備え、
前記画像情報出力装置は、前記センタから送信された画像情報を受信する画像情報受信手段と、前記画像情報受信手段で受信した画像情報から前記電子透かし情報を抽出する電子透かし情報抽出手段と、前記画像情報受信手段で受信した画像情報を再生する画像情報再生手段と、前記画像情報再生手段で再生した画像情報を前記電子透かし情報抽出手段で抽出した電子透かし情報と共に出力する出力手段とを備えたことを特徴とする画像情報提供システム。
【請求項１８】
前記画像情報出力装置は、前記センタに画像情報を要求する画像要求信号を送信する画像要求信号送信手段を備え、前記センタは、前記画像要求信号を受信する画像要求信号受信手段を備え、前記画像要求信号受信手段が画像要求信号を受信した場合、前記送信手段が前記画像情報を送信することを特徴とする請求項１７記載の画像情報提供システム。
【請求項１９】
電子透かし技術を用いて電子透かし情報を埋め込んだ画像情報を記録する記録媒体であって、
前記透かし情報は、位置に連動した情報、日時に連動した情報、および利用者に連動した情報のうちの少なくとも１つに関して、前記画像情報と関連づけられていることを特徴とする記録媒体。
【発明の詳細な説明】
【０００１】
【発明の属する技術分野】
本発明は、付加情報を有する画像情報を出力する画像情報出力装置に関する。
【０００２】
【従来の技術】
従来、この種の画像情報出力装置として、ＣＤ−ＲＯＭから指定された条件に従い画像情報である地図データを読み出し、次に地図データに対応する付加情報を抽出して地図データと共に表示するものが知られている（例えば特許文献１参照）。
【０００３】
【特許文献１】
特開平８−６８６４９号公報（第４−７頁、第１図）
【０００４】
【発明が解決しようとする課題】
しかし、このような従来の画像情報出力装置では、他の画像情報出力装置と画像情報の再生において互換性を保ちながら、かつ、付加された付加情報の存在を他の画像情報出力装置に認識されることなく、特定の画像情報出力装置に対して付加された付加情報を画像情報と共に出力することはできないという問題があった。
【０００５】
本発明は、このような従来の問題を解決するためになされたもので、他の画像情報出力装置と画像情報の再生において互換性を保ちながら、かつ、付加された付加情報の存在を他の画像情報出力装置に認識されることなく、特定の画像情報出力装置に対して付加された付加情報を画像情報と共に出力することができる画像情報出力装置を提供することを目的とする。
【０００６】
【課題を解決するための手段】
本発明の画像情報出力装置は、画像情報を記憶する記憶手段と、画像情報から、あらかじめ電子透かし技術を用いて埋め込まれた電子透かし情報を抽出する電子透かし情報抽出手段と、画像情報を再生する画像情報再生手段と、画像情報再生手段で再生した画像情報を、電子透かし情報抽出手段で抽出した電子透かし情報と共に出力する出力手段とを備えた構成を有している。
【０００７】
この構成により、電子透かし情報抽出手段を有さない他の画像情報出力装置と画像情報の出力における互換性を保ちながら、電子透かし情報抽出手段を有する本発明の画像情報出力装置では、付加された付加情報を画像情報と共に出力することができる。
【０００８】
また、本発明の画像情報出力装置は、画像情報が、ムービー情報、ウェッブページ情報、地図情報、および写真情報のうちの少なくとも１つである構成を有している。この構成により、動画像であるムービー情報やウェッブページ情報、静止画像であるウェッブページ情報や地図情報や写真情報といった幅広い画像情報に適用することができる。
【０００９】
また、本発明の画像情報出力装置は、電子透かし情報が、画像情報、文字情報、音情報、情報リソースへのリンク情報、および画像情報出力装置若しくは他の装置を制御する制御コマンドのうちの少なくとも１つである構成を有している。
【００１０】
この構成により、画像情報、文字情報、音情報、情報リソースへのリンク情報、装置を制御する制御コマンドといった幅広い付加情報を、画像情報と共に出力することができる。
【００１１】
また、本発明の画像情報出力装置は、電子透かし情報が、画像情報と関連づけられた関連情報である構成を有している。この構成により、再生する画像情報に合わせて、関連した付加情報を提供することができる。
【００１２】
また、本発明の画像情報出力装置は、関連情報が、位置に連動した情報、日時に連動した情報、および利用者に連動した情報のうちの少なくとも１つである構成を有している。この構成により、例えば地域といった位置に連動した情報や、ニュース、天気予報などの日時に連動した情報や、趣味や、所属組織や、生い立ちといった利用者に連動した情報を、画像情報と共に出力することができる。
【００１３】
また、本発明の画像情報出力装置は、センタが送信した画像情報を受信する画像情報受信手段を備え、画像情報受信手段で受信した画像情報を記憶手段に記憶する構成を有している。この構成により、画像情報を遠隔地から取得することができる。
【００１４】
また、本発明の画像情報出力装置は、センタに画像情報を要求する画像要求信号を送信する画像要求信号送信手段を備えた構成を有している。この構成により、必要なときに画像情報を要求することができる。
【００１５】
また、本発明の画像情報出力装置は、画像要求信号送信手段が、画像情報要求信号と共に、画像情報出力装置を識別する装置識別情報と利用者を識別する利用者識別情報の少なくとも１つを送信する構成を有している。
【００１６】
この構成により、画像情報出力装置を識別する装置識別情報と利用者を識別する利用者識別情報の少なくとも１つをセンタに通知することができ、センタは通知を受けた内容に基づいて、埋め込む電子透かし情報を選択することができる。
【００１７】
また、本発明の画像情報出力装置は、記録媒体に記録された画像情報を読み込む記録媒体読み込み手段を備え、記録媒体読み込み手段で読み込んだ画像情報を記憶手段に記憶する構成を有している。この構成により、記録媒体を入手することで求める画像情報を得ることができる。
【００１８】
また、本発明の画像情報出力装置は、移動体に装着されている構成を有している。この構成により、移動体が移動した任意の地点で、画像情報を出力し、利用することができる。
【００１９】
また、本発明の画像情報出力装置は、現在位置を検出する現在位置検出手段を備え、画像情報再生手段で再生した画像情報は、現在位置検出手段が検出した現在位置と関連する画像情報である構成を有している。この構成により、現在位置で有用な画像情報を利用することができる。
【００２０】
また、本発明のセンタは、他の装置で画像情報と共に出力する電子透かし情報を、画像情報に電子透かし技術を用いて埋め込む電子透かし情報埋め込み手段と、電子透かし情報埋め込み手段で電子透かし情報を埋め込んだ画像情報を他の装置に送信する画像情報送信手段とを備えた構成を有している。
【００２１】
この構成により、埋め込んだ電子透かし情報を抽出できる他の装置とできない装置共に、それぞれの機能において出力可能な画像情報を共通仕様で送信することができる。
【００２２】
また、本発明のセンタは、電子透かし情報が、画像情報と関連づけられた関連情報である構成を有している。この構成により、他の装置が画像情報を出力する場合に、再生する画像情報に対応した電子透かし情報を出力したいという要望に対応できる画像情報を準備することができる。
【００２３】
また、本発明のセンタは、画像情報を要求する他の装置からの画像要求信号を受信する画像要求信号受信手段を備え、画像要求信号受信手段が画像要求信号を受信した場合、送信手段が画像情報を送信する構成を有している。この構成により、他の装置からの画像要求信号を受信した場合に画像情報を送信するので、無駄なく画像情報を送信できる。
【００２４】
また、本発明のセンタは、電子透かし情報を、画像要求信号を受信した後に画像情報に埋め込む構成を有している。この構成により、電子透かし情報を埋め込む要求を受信した場合に電子透かし情報を埋め込むので、無駄なく電子透かし情報を埋め込むことができる。
【００２５】
また、本発明のセンタは、画像要求信号受信手段が、他の装置を識別する装置識別情報と他の装置を利用する利用者を識別する利用者識別情報のうちの少なくとも１つと共に、画像要求を受信した場合、画像情報に埋め込む電子透かし情報が、装置識別情報で識別される他の装置または利用者識別情報で識別される利用者に関連する情報である構成を有している。
【００２６】
この構成により、他の装置あるいは他の装置を利用する利用者に個別に対応した電子透かし情報を送信することができる。
【００２７】
さらに、本発明の記録媒体は、電子透かし技術を用いて電子透かし情報を埋め込んだ画像情報を記録する記録媒体であって、透かし情報が、位置に連動した情報、日時に連動した情報、および利用者に連動した情報のうちの少なくとも１つに関して、画像情報と関連づけられている構成を有している。
【００２８】
この構成により、電子透かし情報を抽出できない装置が画像情報を再生するのし支障を与えることなく、電子透かし情報を抽出して再生し、画像情報と共に出力できる装置に対しては、地域などの位置に連動した情報や、ニュースや天気予報などの日時に連動した情報や、趣味や所属組織や生い立ちといった利用者に連動した情報を提供することができる。
【００２９】
【発明の実施の形態】
以下、本発明の実施の形態について、図面を用いて説明する。
【００３０】
（第１の実施の形態）
図１は、本発明の第１の実施の形態における画像情報出力装置および、画像情報出力装置とセンタとを含む画像情報提供システムの構成を示すブロック図である。
【００３１】
図１において、画像情報提供システムは、車両（図示せず）に搭載された画像情報出力装置１００と、画像情報出力装置１００がネットワーク３００を介して通信を行なうセンタ２００とを含むシステムである。画像情報出力装置１００は、利用者を識別する利用者識別情報や各種操作を入力する操作入力部１０１と、画像情報出力装置１００を搭載した車両の現在位置を検出する現在位置検出部１０２と、画像情報要求信号をセンタ２００に送信し、センタ２００からの情報を受信する通信部１０３と、通信部１０３で受信した画像情報を記憶するメモリー部１０４と、メモリー部１０４に記憶した画像情報から電子透かし情報を抽出する電子透かし情報抽出部１０５と、画像情報を再生する画像情報再生部１０６と、再生した画像情報と共に抽出した電子透かし情報を画像信号や音信号で出力する出力部１０７とこれらの各部を制御する制御部１０８とを備える。
【００３２】
さらに詳しく説明すると、操作入力部１０１は、画像情報出力装置１００の利用者が端末に対し、電子地図の更新を促したり、抽出された付加情報、例えばＵＲＬ情報を利用したりするために使用するもので、例えば赤外線を利用したリモコン、画像情報出力装置に設置されたエスカッションスイッチ、出力部１０７の液晶表示部に付加したタッチパネルなどで構成する。
【００３３】
現在位置検出部１０２による車両の現在位置の検出は、例えば、推測航法またはマップマッチングなどの自立方式、ビーコン又はサインポストを利用する無線方式、ＧＰＳ方式などの航法衛星信号受信による測位方式、又は上述の検出方式を組み合わせた方式などで実施されるものとする。
【００３４】
通信部１０３は、携帯電話機などの通信手段であって、各種データや情報の送受信を、移動体通信網といったネットワーク３００を介してセンタ２００と行う。
【００３５】
メモリー部１０４は、例えば半導体メモリ、磁気ディスク、磁気光ディスクなどで構成され、付加情報を電子透かし情報として埋め込まれた電子地図（図示せず）などの画像情報を格納するようになっている。
【００３６】
電子透かし情報抽出部１０５は、電子地図内に埋め込まれた電子透かし情報として埋め込まれた付加情報を抽出するアルゴリズムを含んだ処理部で、制御部１０８の指示により電子地図データより付加情報の抽出を行う。
【００３７】
画像情報再生部１０６は、メモリー部１０４に記憶している画像情報である電子地図データのうち、操作入力部１０１の操作により指定された電子地図データを出力部１０７で表示可能な画像信号として再生する。
【００３８】
出力部１０７は、画像情報である電子地図を表示する例えば画像処理回路、液晶ディスプレイなどと、電子透かし情報として付加された付加情報を出力する画像処理回路、液晶ディスプレイ、音声合成回路、音響増幅回路などとで構成され、地図の表示と共に、抽出された付加情報の表示や音響出力などを行うようになっている。
【００３９】
制御部１０８は、例えばＣＰＵ、ＲＯＭ、ＲＡＭなどにより構成され、出力部１０７に地図を表示させ、付加情報を表示や音響で出力する際、電子地図データより電子透かし情報として付加された付加情報の抽出を指示するなど、画像情報出力装置１００の各部を制御する。
電子地図は、道路形状をベクトルデータとして表したものや、出力部１０７に地図を描画するために必要な描画情報などを持つ従来の電子地図に、任意の情報、たとえば地図エリアに対応した施設情報、ＵＲＬ、クーポン情報などを電子透かし技術を用いて電子透かし情報として埋め込んませたものである。
【００４０】
センタ２００は、画像情報出力装置１００からの画像情報要求信号を受信し、画像情報出力装置１００に情報を送信する通信部２０１と、画像情報である電子地図データを記憶している電子地図記憶部２０２と、電子地図データに透かし情報として埋め込む付加情報を記憶している付加情報記憶部２０３と、通信部２０１が受信した画像情報要求信号に基づいて、付加情報記憶部２０３に記憶している付加情報から、電子地図データに埋め込む付加情報を選択する付加情報選択部２０４と、受信した画像情報要求信号に基づいて画像情報出力装置１００に送信する電子地図データに付加情報選択部２０４が選択した付加情報を埋め込む電子透かし情報埋め込み処理部２０５と、これらの各部を制御する制御部２０６とを備える。
【００４１】
次に、図２を用いて本発明の第１の実施の形態における画像情報出力装置および、画像情報出力装置とセンタとを含む画像情報提供システムの動作について説明する。
【００４２】
図２は本発明の第１の実施の形態における画像情報提供システムの動作を示すフローチャートである。
【００４３】
利用者が、車両に搭載された画像情報出力装置１００を利用したい場合、利用者は、操作入力部１０１を操作し、利用者名の選択と暗証番号の入力等の手順により、利用者登録を画像情報出力装置１００に対して行う。画像情報出力装置１００は、選択された利用者名に基づいて、あらかじめメモリー部１０４に記憶されている利用者リストの中の該当利用者の利用者識別情報（以下、利用者ＩＤと記す）を抽出する（Ｓ１１）。
【００４４】
次に、利用者が、操作入力部１０１を操作して情報の入手を要求すると、制御部１０８は、現在位置検出部１０２に、現在位置を検出（現在位置データを取得）するように要求し、現在位置検出部１０２は、車両の現在位置を検出して制御部１０８に渡す（Ｓ１２）。
【００４５】
制御部１０８は、現在位置検出部１０２から受け取った現在位置データと、メモリー部にあらかじめ記憶されている画像情報出力装置１００を識別する装置識別情報（以下、装置ＩＤ）と、先に抽出した利用者ＩＤとを通信部１０３に渡す。通信部１０３は、制御部１０８の要求を受け、ネットワーク３００を介してセンタ２００の通信部２０１に画像情報要求信号をセンタに送信する（Ｓ１３）。
【００４６】
センタ２００の通信部２０１は、画像情報出力装置１００からの画像情報要求信号を受信すると（Ｓ１４）、制御部２０６は、画像情報要求信号に含まれる現在位置データに基づいて、電子地図記憶部２０２から、例えば、現在位置を中心とした地図を画像情報出力装置１００に送信する電子地図データとして選択する（Ｓ１５）。
【００４７】
さらに、制御部２０６は、画像情報要求信号に含まれる現在位置データ、装置ＩＤ、および利用者ＩＤを付加情報選択部２０４に渡し、付加情報選択部２０４は、制御部２０６によって渡されたデータおよびセンタ２００が備えるＲＴＣ（Ｒｅａｌ  Ｔｉｍｅ  Ｃｌｏｃｋ）（図示せず）からの受信時の日付、時刻に基づいて、画像情報出力装置１００に送信する電子地図データに付加する付加情報を、付加情報記憶部２０３から選択する（Ｓ１６）。
【００４８】
付加情報は、例えば、センタ２００にあらかじめ登録されている装置ＩＤと利用者ＩＤと個人情報に連動した趣味趣向情報、先に実行された経路探索時に指定された出発地、あるいは目的地に関する情報、自宅に関する情報、通っている会社や学校に関する情報、加盟している組織に関する情報、生い立ちに関する情報、あるいは、行動予定に関する情報などや、現在位置に連動した現在位置周辺のＰＯＩ（Ｐｏｉｎｔ  ｏｆ  Ｉｎｔｅｒｅｓｔ）や現在位置周辺の店舗広告などや、画像情報出力装置１００からの画像情報要求信号を受信した時の日付、時刻に連動したニュース、天気予報、列車やバスの運行スケジュール、あるいは、日付限定の広告などであり、そのデータの形式は画像データでも、文字データでも、音データでも、ＷＥＢのＵＲＬといった情報リソースへのリンク情報でも、画像情報出力装置１００や他の装置（図示せず）を制御する制御コマンドでも良い。
【００４９】
制御部２０６は、電子地図記憶部２０２から選択した電子地図データと、付加情報選択部２０４が選択した付加情報とを電子透かし情報埋め込み処理部２０５に渡し、電子透かし情報埋め込み処理部２０５は、制御部２０６から受け取った電子地図データに、同じく制御部２０６から受け取った付加情報を電子透かし情報として埋め込む（Ｓ１７）。
【００５０】
電子透かし情報埋め込み処理部２０５は、付加情報を電子透かし情報として埋め込んだ電子地図データを、制御部２０６を介して、通信部２０１に渡す。通信部２０１は、電子透かし情報埋め込み処理部２０５より、制御部２０６を介して受け取った電子地図データを画像情報出力装置１００に向けて送信する（Ｓ１８）。
【００５１】
画像情報出力装置１００の通信部１０３は、センタ２００から送信された電子地図データを受信すると（Ｓ１９）、制御部１０８を介して、メモリー部１０４に記憶する（Ｓ２０）。電子透かし情報抽出部１０５は、制御部１０８を介して、メモリー部１０４に記憶されている電子地図データにアクセスし、電子透かし情報として埋め込まれた付加情報を抽出し出力部１０７に送る（Ｓ２１）。
【００５２】
画像情報再生部１０６は、制御部１０８を介してメモリー部１０４に記憶されている電子地図データを再生して出力部１０７に送る（Ｓ２２）。出力部１０７は、送られてきた電子地図データと共に、付加情報を表示する（Ｓ２３）。
【００５３】
一方、センタ２００から送信された付加情報を電子透かし情報として埋め込まれた電子地図データを、電子透かし情報抽出部を備えていない他の画像情報出力装置（図示せず）や、電子透かし情報抽出部を備えていても、電子透かし情報の抽出方法が異なる他の画像情報出力装置（図示せず）では、電子透かし情報として埋め込まれた付加情報の存在を認識できず、電子地図データを再生する画像情報再生部（図示せず）を備えていれば、電子透かし情報の有無に関係なく、電子地図データを再生することはできる。
【００５４】
以上説明したように、本実施の形態では、車両の現在位置データと、装置ＩＤと、利用者ＩＤとを画像情報要求信号と共にセンタ２００に送信し、センタ２００は、これらを受信した日付、時刻ならびに受信した車両の現在位置データと、装置ＩＤと、利用者ＩＤに基づき、電子地図データに付加情報を電子透かし情報として埋め込んで画像情報出力装置１００に送信し、画像情報出力装置は、受信した電子地図データから電子透かし情報として埋め込まれた付加情報を抽出して、電子地図データと共に出力部１０７から出力するので、他の画像情報出力装置と画像情報の再生において互換性を保ちながら、かつ、付加された付加情報の存在を他の画像情報出力装置に認識されることなく、本画像情報出力装置に対して付加された付加情報を画像情報と共に出力することができる。
【００５５】
なお、上記実施の形態では画像情報が電子地図の場合で説明したが、本発明はこの電子地図に限定することなく商用映画、テレビ、個人撮影ムービーなどのムービー情報や、静止画あるいは動画によるインターネットのウェッブページ情報や、写真情報でも同様の効果が得られる。
【００５６】
また、上記実施の形態では画像情報出力装置が車両に搭載された場合で説明したが、本発明は車両に搭載された場合に限定されることなく、船舶や飛行機や列車でも、さらに、人や動物に装着したり、携帯電話やＰＤＡという機能を有し、手で持ったりしても、あるいは移動することなく固定されていても同様の効果が得られる。
【００５７】
また、上記実施の形態ではセンタが画像情報要求信号を受信した後に付加情報を埋め込む場合で説明したが、本発明はこれに限定されることなく、予め定めた付加情報を電子地図に埋め込み、電子地図記憶部に記憶しておいても同様の効果が得られる。
【００５８】
また、上記実施の形態では電子透かし情報抽出部が抽出した付加情報は、電子地図データと共に出力部１０７に表示することにより情報を提供できるとしたが、本発明はこれに限定されることなく、音声合成を利用したテキストの読み上げ手段でもよいし、あらかじめ画像情報出力装置内に用意した音声データを再生してもよく、また、ＷＥＢのＵＲＬといった情報リソースへのリンク情報を画像情報と共に表示しても、あるいは、画像情報の表示と共にリンク情報をネットワーク３００に出力してもよく、また、画像情報の表示と共に、画像情報出力装置や他の装置を制御するコマンド、例えば地図の縮尺を切り替えるコマンドや、動画を再生するコマンドなどを自装置内や他の装置に対して出力しても同様の効果が得られる。
【００５９】
また、上記実施の形態では、画像情報出力装置１００とセンタ２００との通信は、移動体通信網といったネットワーク３００を介して行われる場合で説明したが、本発明はこれに限定されることなく、衛星通信網や、路車間通信ネットワークや、無線ＬＡＮ、そのほかの回線網を用いても同様の効果が得られる。
【００６０】
（第２の実施の形態）
本発明の第２の実施の形態における画像情報出力装置１５０は、通信部に代えて、記録媒体４００を再生する記録媒体再生部１１０を有し、その処理・動作が第１の実施の形態の発明の画像情報出力装置と異なり、その他の構成および作用効果は、第１の実施の形態と同じであるので、その処理・動作に関して異なる点を中心に、図４を用いて説明する。
【００６１】
図４は、本発明の第２の実施の形態における画像情報出力装置の動作を示すフローチャートである。
【００６２】
記録媒体４００は、道路形状をベクトルデータとして表したものや、画像情報再生部１０６で地図を再生するために必要な描画情報などを持つ、従来の電子地図に、任意の情報、例えば地図エリアに対応した施設情報や、施設を紹介するサイトのＵＲＬや、施設を利用するときの料金割引クーポン情報などを付加情報として電子透かし技術を用いて電子透かし情報として埋め込んだものであり、例えば、ＤＶＤ媒体の形態をなしている。
【００６３】
利用者が、車両に搭載された画像情報出力装置１５０を利用したい場合、記録媒体４００を記録媒体再生部１１０にセットし、操作入力部１０１を操作して利用者名の選択と暗証番号の入力等の手順により、利用者登録を画像情報出力装置１５０に対して行なう。画像情報出力装置１５０は、選択された利用者名に基づいて、あらかじめメモリー部１０４に記憶されている利用者リストの中の該当者の利用者ＩＤを抽出する（Ｓ３１）。
【００６４】
操作入力部１０１を操作して記録媒体４００のローディングを行なう。操作部を操作して情報の入手を要求すると、制御部１０８は、現在位置検出部１０２に、現在位置を検出するように要求し、現在位置検出部１０２は、車両の現在位置を検出して制御部１０８に渡す（Ｓ３２）。制御部１０８は、現在位置検出部１０２から受け取った現在位置データに基づいて、記録媒体再生部１１０を動作させてローディングされている記録媒体４００から現在位置周辺の電子地図データを読み込み（Ｓ３３）、メモリー部１０４に記憶する（Ｓ３４）。
【００６５】
電子透かし情報抽出部１０５は、制御部１０８を介して、メモリー部１０４に記憶されている電子地図データにアクセスし、電子地図データと関連づけられて電子透かし情報として埋め込まれた位置に連動した情報、あるいは、日時に連動した情報、あるいは、利用者に連動した情報といった付加情報を抽出し出力部１０７に送る（Ｓ３５）。
【００６６】
画像情報再生部１０６は、制御部１０８を介してメモリー部１０４に記憶されている電子地図データを再生して出力部１０７に送る（Ｓ３６）。出力部１０７は、送られてきた電子地図データと共に、付加情報を表示する（Ｓ３７）。
【００６７】
一方、付加情報を電子透かし情報として埋め込まれた記録媒体４００を、電子透かし情報抽出部を備えていない他の画像情報出力装置や、電子透かし情報抽出部を備えていても、電子透かし情報の抽出方法が異なる他の画像情報出力装置では、電子透かし情報として埋め込まれた付加情報の存在を認識できず、電子地図データを再生する画像情報再生部を備えていれば、電子透かし情報の有無に関係なく、電子地図データを再生することができる。
【００６８】
以上説明したように、本実施の形態では、付加情報を電子透かしデータとして埋め込まれた電子地図データが記録された記録媒体４００を、記録媒体再生部１１０で再生し、再生した地図データから電子透かし情報として埋め込まれた付加情報を抽出して、電子地図データと共に出力部１０７から出力するので、他の画像情報出力装置と画像情報の再生において互換性を保ちながら、かつ、付加された付加情報の存在を他の画像情報出力装置に認識されることなく、本画像情報出力装置では付加された付加情報を画像情報と共に出力することができる。
【００６９】
なお、上記実施の形態では記録媒体がＤＶＤ媒体の場合で説明したが、本発明はＤＶＤ媒体に限定することなくＣＤ媒体、磁気テープ、ＭＯ媒体、ＰＤ媒体や、半導体メモリーや、ＨＤＤユニットでも同様の効果が得られる。
【００７０】
【発明の効果】
以上説明したように、本発明は画像情報から、あらかじめ電子透かし技術を用いて埋め込まれた電子透かし情報を抽出し、別途再生した画像情報を抽出した電子透かし情報と共に出力することにより、他の画像情報出力装置と画像情報の再生において互換性を保ちながら、かつ、付加された付加情報の存在を他の画像情報出力装置に認識されることなく、本発明の画像情報出力装置に対して付加された付加情報を画像情報と共に出力することができる画像情報出力装置を提供することができるものである。
【図面の簡単な説明】
【図１】本発明の第１の実施の形態における画像情報出力装置、センタ、および画像情報提供システムの構成を示すブロック図
【図２】本発明の第１の実施の形態における画像情報提供システムの動作を示すフローチャート
【図３】本発明の第２の実施の形態における画像情報出力装置の構成を示すブロック図
【図４】本発明の第２の実施の形態における画像情報出力装置の動作を示すフローチャート
【符号の説明】
１００、１５０  画像情報出力装置
１０１  操作入力部
１０２  現在位置検出部
１０３、２０１  通信部
１０４  メモリー部
１０５  電子透かし情報抽出部
１０６  画像情報再生部
１０７  出力部
１０８  制御部
１１０  記録媒体再生部
２００  センタ
２０２  電子地図記憶部
２０３  付加情報記憶部
２０４  付加情報選択部
２０５  電子透かし情報埋め込み処理部
２０６  制御部
３００  ネットワーク
４００  記録媒体
【図１】
2004328115.tif 000003
【図２】
2004328115.tif 000004
【図３】
2004328115.tif 000005
【図４】
2004328115.tif 000006